(57)【要約】【課題】点火所要時間が短い燃焼装置および温水装置を提供する。【解決手段】燃焼装置２００は、内部空間を有するチャンバ３１と、チャンバ３１の内部空間に第１方向を向いて開口する第１吹出口を有するファン３２と、平面視において、第１吹出口３２ｃから第１方向Ｘに延びる領域Ｒと重なる部分を有する点火プラグ１４とを備える。【選択図】図４
2020016421.tif 000002
【特許請求の範囲】
【請求項１】
内部空間を有するチャンバと、
前記チャンバの前記内部空間に第１方向を向いて開口する第１吹出口を有するファンと、
平面視において、前記第１吹出口から前記第１方向に延びる領域と重なる部分を有する点火プラグとを備える、燃焼装置。
【請求項２】
前記チャンバは、前記第１方向とは異なる第２方向に向いて開口する第２吹出口を有し、
前記第１吹出口および前記点火プラグは、前記第２方向から視て、前記第２吹出口の中心を通り前記第１方向に沿って延びる第１中心線に対して同じ側に配置されている、請求項１に記載の燃焼装置。
【請求項３】
前記第１吹出口および前記点火プラグは、前記第２方向から視て、前記中心を通り前記第１中心線と直交する第２中心線を挟むように配置されている、請求項２に記載の燃焼装置。
【請求項４】
前記チャンバは、前記第２方向から視て前記第２吹出口と重なるように配置されている壁部を含み、
前記壁部は、前記第２吹出口に近づくほど前記第１吹出口から離れるように傾斜している、請求項２または３に記載の燃焼装置。
【請求項５】
請求項１〜４のいずれか１項に記載の燃焼装置と、
前方に開口部を有する筐体とを備え、
前記燃焼装置は、前記点火プラグが前記開口部に面するように前記筐体の内部に収容されている、温水装置。
【発明の詳細な説明】
【技術分野】
【０００１】
本発明は、燃焼装置および温水装置に関する。
【背景技術】
【０００２】
従来の燃焼装置として、たとえば特開２０１８−１１２３２１号公報（特許文献１）が知られている。
【０００３】
特開２０１８−１１２３２１号公報には、プレミックスバーナ方式の燃焼装置が開示されている。この燃焼装置においては、前方に開口部が設けられた筐体に収容されたチャンバとファンとの取付面が、筐体の背板部に対して開口部側を向いて傾斜するように配置されている。上記燃焼装置では、ファンの吹出口およびチャンバの吸気口も、取付面と同様に傾斜して配置されている。
【先行技術文献】
【特許文献】
【０００４】
【特許文献１】特開２０１８−１１２３２１号公報
【発明の概要】
【発明が解決しようとする課題】
【０００５】
一般的なプレミックスバーナ方式の燃焼装置では、ファンにおいて混合された燃料ガスと空気との混合ガスがチャンバに供給される。
【０００６】
しかし、点火シーケンスを作動した時、すなわちチャンバ内に混合ガスの供給を開始した時のチャンバ内には、多量の空気が存在する。そのため、点火シーケンスを作動した後、点火プラグの周囲の雰囲気が点火可能な空燃比の混合ガスに置換されるまでに要する時間は、ファンから点火プラグに至る混合ガスの流路の長さと流速分布に依存する。
【０００７】
一方、混合ガスを点火させるための点火プラグは、一般的には点火プラグの組み付けおよびメンテナンスを容易とするために、筐体の開口部に面する熱交換器の前面に配置されている。
【０００８】
そのため、上記公報に記載の燃焼装置が上記点火プラグを備える場合、ファンから点火プラグに至る混合ガスの流路の長さは比較的長くなる。この場合、点火シーケンスを作動した後点火プラグの周囲の雰囲気が点火可能な空燃比を有する混合ガスに置換されるまでの時間、すなわち点火に要する点火所要時間は、比較的長くなる。
【０００９】
本発明の目的は、上記公報に記載の燃焼装置と比べて、点火所要時間が短い燃焼装置および温水装置を提供することである。
【課題を解決するための手段】
【００１０】
本発明の燃焼装置は、内部空間を有するチャンバと、チャンバの内部空間に第１方向を向いて開口する第１吹出口を有するファンと、平面視において、第１吹出口から第１方向に延びる領域と重なる部分を有する点火プラグとを備える。
【００１１】
これにより、第１吹出口から吹き出されてチャンバの内部空間に流入した混合ガスは、平面視においては流通方向を変更することなく、点火プラグに達することができる。そのため、上記燃焼装置では、上記公報に記載の燃焼装置と比べて、ファンから点火プラグに至る混合ガスの流路長が短くされているため、点火所要時間が短くされている。
【００１２】
上記燃焼装置において、チャンバは、第１方向とは異なる第２方向に向いて開口する第２吹出口を有している。第１吹出口および点火プラグは、第２方向から視て、第２吹出口の中心を通り第１方向に沿って延びる第１中心線に対して同じ側に配置されている。
【００１３】
このような燃焼装置では、チャンバおよびファンが一方向にのみ開口している筐体の内部に収容される場合にも、第１吹出口および点火プラグが当該１つの開口に面するように配置され得る。そのため、上記燃焼装置では、筐体内に収容された第１吹出口および点火プラグに対し、上記１つの開口から容易にアクセスすることができる。そのため、上記燃焼装置では、筐体に対する一方向からの作業のみにより、組立およびメンテナンスを行うことができる。
【００１４】
上記燃焼装置において、第１吹出口および点火プラグは、第２方向から視て、上記中心を通り第１中心線と直交する第２中心線を挟むように配置されている。
【００１５】
上記燃焼装置では、第１方向に吹き出された混合ガスがチャンバの壁部に沿って流れることによって効率良く点火プラグに達することができる。
【００１６】
上記燃焼装置において、チャンバは、第２方向から視て第２吹出口と重なるように配置されている壁部を含む。壁部は、第２吹出口に近づくほど第１吹出口から離れるように傾斜している。
【００１７】
このようなチャンバの上壁部は、第１吹出口から吹き出された混合ガスの流通方向を第１方向から第２方向に変更させる。これにより、第１方向に吹き出された混合ガスがチャンバの上壁部に沿って流れることによって効率良く点火プラグに達することができる。
【００１８】
本発明の温水装置は、上記燃焼装置と、前方に開口部を有する筐体とを備える。燃焼装置は、点火プラグが開口部に面するように筐体の内部に収容されている。このため、上記公報に記載の燃焼装置と比べて点火所要時間が短い燃焼装置を備えた温水装置を提供することができる。
【発明の効果】
【００１９】
本発明によれば、上記燃焼装置と比べて、点火所要時間が短い燃焼装置および温水装置を提供することができる。
【図面の簡単な説明】
【００２０】
【図１】本発明の一実施の形態における燃焼装置の構成を模式的に示す図である。
【図２】図１に示される燃焼装置の一部の構成例を示す斜視図である。
【図３】図２に示される燃焼装置の一部の構成を示す上面図である。
【図４】図３に示される燃焼装置のチャンバと点火プラグとの構成を示す透視図である。
【図５】図４中の矢印Ｖ−Ｖから視た断面図である。
【図６】図４中の矢印ＶＩ−ＶＩから視た断面図である。
【発明を実施するための形態】
【００２１】
以下、本発明の実施の形態について図に基づいて説明する。なお、本実施の形態では、第１方向は水平方向に沿った方向とされ、第２方向は上下方向に沿った方向とされている。また、以下の説明において前方とは、第１方向および第２方向と垂直な方向とされている。また、以下の説明において平面視とは、第２方向から見た視点を意味する。
【００２２】
まず、本発明の一実施の形態における燃焼装置の構成について図１を用いて説明する。  図１に示されるように、本実施の形態の温水装置１００は、顕熱回収熱交換器（一次熱交換器）１０と、潜熱回収熱交換器（二次熱交換器）２０と、バーナ３０と、チャンバ３１と、ファン（送風装置）３２と、ダクト３３と、ベンチュリ３４と、オリフィス３５と、ガスバルブ３６と、配管４０と、バイパス配管４１と、筐体５０とを主に有している。筐体５０の内部に、上記の部品のうち筐体５０を除く全ての部品が配置されている。
【００２３】
ガスバルブ３６、オリフィス３５およびベンチュリ３４がこの順で配管に接続されている。この配管には筐体５０の外部から燃料ガスが供給可能である。この配管に供給された燃料ガスは、ガスバルブ３６とオリフィス３５とを通じてベンチュリ３４に流れる。
【００２４】
ガスバルブ３６は燃料ガスの供給と停止の切り替え、及びベンチュリ３４の入口のガス圧を空気圧と均圧にするためのものである。ベンチュリ３４は、空気の流速を増加させることで燃料ガス導入部の負圧を増大させ、燃料ガスの流入を促すものである。ベンチュリ３４は、筐体５０の外部から空気を取り入れられるように構成されている。ベンチュリ３４は、筐体５０の外部から取り入れた空気と、配管から供給された燃料ガスとを混合するように構成されている。
【００２５】
ベンチュリ３４は配管を通じてファン３２に接続されている。この配管により、ベンチュリ３４で混合された混合ガスはファン３２に送られる。ファン３２は、混合ガスをバーナ３０へ供給するとともに、燃料ガスと空気の混合を促進するためのものである。ファン３２は、ファンケースと、ファンケース内に配置された羽根車と、羽根車を回転させるための駆動源（モータなど）とを主に有している。
【００２６】
ファン３２はチャンバ３１に接続されており、チャンバ３１はバーナ３０に接続されている。ファン３２から供給された混合ガスは、チャンバ３１を通じてバーナ３０に送られる。
【００２７】
バーナ３０は、混合ガスを燃焼することにより加熱用気体としての燃焼ガスを発生するためのものである。バーナ３０は燃焼ガスを下向きに供給する逆燃式の装置である。バーナ３０から吹出される混合ガスは、点火プラグ１４によって着火され、燃焼ガスとなる。点火プラグ１４は、たとえば顕熱回収熱交換器１０に設けられている。
【００２８】
燃焼ガスが顕熱回収熱交換器１０および潜熱回収熱交換器２０を順に通過するように、バーナ３０、顕熱回収熱交換器１０および潜熱回収熱交換器２０が接続されている。具体的には、バーナ３０の下方に顕熱回収熱交換器１０が取り付けられており、この顕熱回収熱交換器１０の下方に潜熱回収熱交換器２０が取り付けられている。
【００２９】
潜熱回収熱交換器２０にはダクト３３が接続されており、ダクト３３は筐体５０の外部へ延びている。これにより、潜熱回収熱交換器２０を通過した燃焼ガスは、ダクト３３を通じて筐体５０の外部へ排出される。
【００３０】
顕熱回収熱交換器１０および潜熱回収熱交換器２０の各々は、バーナ３０から供給された燃焼ガスと湯水との間で熱交換を行うことにより湯水を加熱するためのものである。
【００３１】
顕熱回収熱交換器１０は、バーナ３０が発生させた燃焼ガスの顕熱を回収するためのものである。顕熱回収熱交換器１０は、ケース１１および吸熱パイプ１３を主に有している。潜熱回収熱交換器２０は、燃焼ガスの潜熱を回収するためのものである。この潜熱回収熱交換器２０には、たとえばプレート式熱交換器が用いられる。
【００３２】
顕熱回収熱交換器１０において入水する湯水の温度が低い場合、またはバーナ３０の加熱量が少ない場合などには、顕熱回収熱交換器１０内において燃焼ガスの水蒸気が凝縮し、凝縮した水（ドレン）が発生する。また潜熱回収熱交換器２０においても、ドレンが発生する。これらのドレンはダクト３３の一部を通って、筐体５０の外部へ排水される。
【００３３】
顕熱回収熱交換器１０の吸熱パイプ１３と潜熱回収熱交換器２０の伝熱部とは配管４０で接続されている。潜熱回収熱交換器２０よりも入水側の配管４０の部分と、顕熱回収熱交換器１０よりも出湯側の配管４０の部分とはバイパス配管４１によりバイパスされている。
【００３４】
バイパス配管４１にはバイパスサーボ４２が接続されている。バイパスサーボ４２は、バイパス配管４１を流れる水の流量を制御するように構成されている。
【００３５】
上記の温水装置１００に供給された水は、顕熱回収熱交換器１０および潜熱回収熱交換器２０において燃焼ガスと熱交換をして湯となる。これにより温水装置１００によって湯を供給することが可能となる。
【００３６】
次に、上記の温水装置１００に用いられる燃焼装置２００の構成について図２〜図６を用いて説明する。なお、図４〜図６は、チャンバ３１が透視された透視図である。燃焼装置２００は、チャンバ３１、ファン３２、点火プラグ１４および筐体５０を主に備える。
【００３７】
図２〜図６に示されるように、ファン３２は、ファンケース３２ａ、モータ３２ｂ、羽根車（図示せず）、第１吹出口３２ｃ（図４）、および第１取付部３２ｄを有している。ファンケース３２ａの内部には羽根車が回転可能に配置されている。ファンケース３２ａの上部にはモータ３２ｂが取り付けられている。モータ３２ｂにより、ファンケース３２ａ内の羽根車は回転のための駆動力を与えられる。第１吹出口３２ｃは、チャンバ３１の内部空間に開口しており、ファン３２からチャンバ３１側へ混合ガスを排出する。
【００３８】
図２〜図６に示されるように、第１吹出口３２ｃは、ファンケース３２ａに設けられている。第１吹出口３２ｃは、羽根車が配置されたファンケース３２ａの内部空間と連通している。第１吹出口３２ｃは、第１方向Ｘを向いて開口している。第１吹出口３２ｃは、例えばチャンバ３１の内部空間に配置されている。第１吹出口３２ｃは、例えば第１方向Ｘに対して０度超え９０度未満の傾斜角を成すように傾斜している。
【００３９】
第１取付部３２ｄは、ファンケース３２ａにおいて第１吹出口３２ｃの周囲に配置されている。第１取付部３２ｄは、チャンバケース３１ａの第２取付部３１ｄに対して固定される部分である。第１取付部３２ｄは、例えば第２取付部３１ｄ（の対向部分３１ｄａ）と対向するように配置されている対向部分３２ｄａ、および対向部分３２ｄａと接続されておりかつ第２取付部３１ｄ（の係合部分３１ｄｂ）と係合するように設けられている係合部分３２ｄｂを含む。
【００４０】
ファンケース３２ａは、例えば第１取付部３２ｄに対して第１方向Ｘに突出して設けられており、チャンバ３１の内部に挿入されている挿入部３２ｅを有している。この場合、第１吹出口３２ｃは、挿入部３２ｅの開口端部として構成されている。なお、ファンケース３２ａは、挿入部３２ｅを有していなくてもよい。第１吹出口３２ｃは、第１取付部３２ｄにおいてチャンバケース３１ａと接する面と同一面上に配置されていてもよい。
【００４１】
図３〜図５に示されるように、チャンバ３１は、ファン３２から供給された混合ガスをバーナ３０の複数の炎孔３０ａに供給する。チャンバ３１は、チャンバケース３１ａ、接続口３１ｂ、第２吹出口３１ｃ、第２取付部３１ｄおよび第３取付部３１ｅを有している。
【００４２】
チャンバケース３１ａは、ファン３２からバーナ３０に供給される混合ガスの流通路を構成する内部空間を有している。チャンバケース３１ａの内部空間は、ファンケース３２ａの内部空間と、接続されている。接続口３１ｂおよび第２吹出口３１ｃは、チャンバケース３１ａの開口部として設けられており、チャンバケース３１ａの内部空間と連通している。
【００４３】
チャンバケース３１ａは、上壁部３１ｆを有している。上壁部３１ｆは、第２方向Ｚから視て第２吹出口３１ｃと重なるように配置されている。上壁部３１ｆは、第２吹出口３１ｃに近づくほど第１吹出口３２ｃから離れるように傾斜している。
【００４４】
接続口３１ｂは、第１方向Ｘとは反対方向を向いて開口している。接続口３１ｂは、ファン３２の第１吹出口３２ｃと接続される開口である。第２吹出口３１ｃは、第２方向Ｚを向いて開口している。第２吹出口３１ｃは、バーナ３０へ混合ガスを供給する開口である。接続口３１ｂの開口形状は、例えば円形状である。第２吹出口３１ｃの開口形状は、例えば長方形状である。
【００４５】
第２取付部３１ｄは、チャンバケース３１ａにおいて接続口３１ｂの周囲に配置されている。第２取付部３１ｄは、ファンケース３２ａの第１取付部３２ｄに対して固定される部分である。第２取付部３１ｄは、例えば第１取付部３２ｄの対向部分３２ｄａと対向するように配置されている対向部分３１ｄａ、および対向部分３１ｄａと接続されておりかつ第１取付部３２ｄの係合部分３２ｄｂと係合するように設けられている係合部分３１ｄｂを含む。第３取付部３１ｅは、チャンバケース３１ａにおいて第２吹出口３１ｃの周囲に配置されている。第３取付部３１ｅは、顕熱回収熱交換器１０に対して固定される部分である。
【００４６】
図５および図６に示されるように、バーナ３０は、複数の炎孔３０ａを有している。バーナ３０は、複数の炎孔３０ａを通った混合ガスを燃焼して火炎を生じさせる。バーナ３０は、チャンバ３１の第２吹出口３１ｃに接続されている。バーナ３０は、例えば平面視においてチャンバ３１の第２吹出口３１ｃの全体と重なるように配置されている。
【００４７】
上述のように、点火プラグ１４は、例えば顕熱回収熱交換器１０に設けられている。図３に示されるように、点火プラグ１４は、１対の点火プラグ電極を有している。点火プラグ１４は、１対の点火プラグ電極間に点火スパークを生じさせることにより、バーナ３０から噴き出された混合ガスに火炎を生じさせる。
【００４８】
図３および図４に示されるように、点火プラグ１４は、ケース１１の壁面に取り付けられている。点火プラグ１４は、ケース１１を貫通してケース１１に取り付けられている。点火プラグ１４は、導電性材料からなる芯線と、電気的絶縁性材料からなり芯線の一部を覆う碍子とを含む。点火プラグ１４の芯線は、ケース１１の内部に位置する先端部１４Ｔを有している。点火プラグ１４の芯線は、例えばケース１１の内部において１箇所で折り曲げられている。点火プラグ１４の芯線は、例えば水平方向に沿って延在している部分と、当該部分に対してバーナ３０側に向かって延在している部分と、両部分を接続する屈曲部とを有している。点火プラグ１４の芯線の水平方向に沿って延在している部分が、碍子を介してケース１１に取り付けられている。点火プラグ１４の芯線のバーナ３０側に向かって延在している部分は、上記先端部１４Ｔを有している。
【００４９】
図４に示されるように、点火プラグ１４は、第２方向Ｚから視て、第２吹出口３１ｃと重なる部分を有している。さらに、点火プラグ１４は、第２方向Ｚから視て、第１吹出口３２ｃから第１方向Ｘに延びる領域Ｒ１と重なる部分を有している。なお、本実施の形態において、第２方向Ｚから視て第１吹出口３２ｃから第１方向Ｘに延びる領域Ｒ１とは、第２方向Ｚから視て第１取付部３２ｄの幅の範囲内に位置する領域Ｒ１を意味する。点火プラグ１４において、第２方向Ｚから視て第２吹出口３１ｃと重なる部分の少なくとも一部が、第２方向Ｚから視て上記領域Ｒと重なる部分を成している。点火プラグ１４において、第２方向Ｚから視て当該領域Ｒと重なる部分は、少なくとも１対の点火プラグ電極のうちの一方の点火プラグ電極の先端部１４Ｔを有している。好ましくは、図４に示されるように、１対の点火プラグ電極の各先端部が、第２方向Ｚから視て上記領域Ｒ１と重なるように配置されている。
【００５０】
より好ましくは、図４に示されるように、点火プラグ１４は、第２方向Ｚから視て、第１吹出口３２ｃの幅の範囲内に位置する領域Ｒ２と重なる部分を有している。当該領域Ｒ２は、上記領域Ｒ１の一部領域である。例えば、点火プラグ１４の一方のプラグ電極の先端部１４Ｔは第２方向Ｚから視て上記領域Ｒ２内に配置されている。点火プラグ１４の他方のプラグ電極の先端部は、上記領域Ｒ２外ではあるが第２方向Ｚから視て上記領域Ｒ１内に配置されている。また、１対の点火プラグ電極の各先端部が、第２方向Ｚから視て上記領域Ｒ２と重なるように配置されていてもよい。
【００５１】
図３に示されるように、筐体５０は、開口部５０ａを有している。開口部５０ａは、筐体５０の前方に配置されており、前方、すなわち第１方向Ｘおよび第２方向Ｚと直交する第３方向Ｙを向いて開口している。この開口部５０ａは、筐体５０の内部に各部品が組み付け収納された後に、図示しない前蓋部材によって閉じられる。
【００５２】
この筐体５０の内部に、顕熱回収熱交換器１０、潜熱回収熱交換器２０、バーナ３０、チャンバ３１、ファン３２、ベンチュリ３４などが配置されている。
【００５３】
図３に示されるように、点火プラグ１４は、ケース１１において筐体５０の開口部５０ａに面する部分に配置されている。
【００５４】
図４に示されるように、第１吹出口３２ｃおよび点火プラグ１４は、第２方向Ｚから視て、チャンバ３１の第２吹出口３１ｃの中心Ｏを通り第１方向Ｘに沿って延びる第１中心線Ｏ１に対して同じ側に配置されている。
【００５５】
図４に示されるように、第１吹出口３２ｃおよび点火プラグ１４は、第２方向Ｚから視て、上記中心Ｏを通りかつ第１中心線Ｏ１と直交する第２中心線Ｏ２を挟むように配置されている。言い換えると、第１吹出口３２ｃおよび点火プラグ１４は、第２方向Ｚから視て第１中心線Ｏ１および第２中心線Ｏ２により区画される４つの領域のうち、第２中心線Ｏ２を挟んで第１方向Ｘに隣り合う２つの領域に個別に配置されている。第１吹出口３２ｃおよび点火プラグ１４は、上記４つの領域のうち、中心Ｏに対して対角を成す２つの領域には配置されていない。
【００５６】
次に、本実施の形態の作用効果について説明する。
燃焼装置２００は、内部空間を有するチャンバ３１と、チャンバ３１の内部空間に第１方向を向いて開口する第１吹出口を有するファン３２と、平面視において、第１吹出口３２ｃから第１方向Ｘに延びる領域Ｒと重なる部分を有する点火プラグ１４とを備える。
【００５７】
これにより、第１吹出口３２ｃから吹き出されてチャンバ３１の内部空間に流入した混合ガスは、平面視においては流通方向を変更することなく、点火プラグ１４に達することができる。そのため、上記燃焼装置２００では、上記公報に記載の燃焼装置と比べて、ファン３２から点火プラグ１４に至る混合ガスの流路長が短くされているため、点火所要時間が短くされている。
【００５８】
また、一般的なプレミックスバーナ方式の燃焼装置は、燃焼面の能力切替機構を備えておらず、点火時には燃焼面全面で一気に着火を行うように設けられている。そのため、点火シーケンスを作動した後になんらかの理由で点火遅れ等が発生した場合、燃焼室内に充満した燃料ガスが爆発的に着火することになる。これに対し、燃焼装置２００では、点火所要時間が比較的短くされているため、燃焼面の能力切替機構を備えていなくても上記のような爆発的な着火が抑制されている。
【００５９】
上記燃焼装置２００において、チャンバ３１は、第１方向Ｘとは異なる第２方向Ｚに向いて開口する第２吹出口３１ｃを有している。第１吹出口３２ｃおよび点火プラグ１４は、第２方向Ｚから視て、第２吹出口３１ｃの中心Ｏを通り第１方向Ｘに沿って延びる第１中心線Ｏ１に対して同じ側に配置されている。
【００６０】
このような燃焼装置２００では、チャンバ３１およびファン３２が一方向にのみ開口している筐体５０の内部に収容される場合にも、第１吹出口３２ｃおよび点火プラグ１４が当該１つの開口に面するように配置され得る。そのため、上記燃焼装置２００では、筐体５０内に収容された第１吹出口３２ｃおよび点火プラグ１４に対し、上記１つの開口から容易にアクセスすることができる。そのため、上記燃焼装置２００では、筐体５０に対する一方向からの作業のみにより、組立およびメンテナンスを行うことができる。
【００６１】
上記燃焼装置２００において、第１吹出口３２ｃおよび点火プラグ１４は、第２方向Ｚから視て、上記中心Ｏを通り第１中心線Ｏ１と直交する第２中心線Ｏ２を挟むように配置されている。
【００６２】
上記燃焼装置２００では、第１方向Ｘに吹き出された混合ガスがチャンバ３１の上壁部３１ｆに沿って流れることによって効率良く点火プラグ１４に達することができる。
【００６３】
上記燃焼装置２００において、チャンバ３１は、第２方向Ｚから視て第２吹出口３１ｃと重なるように配置されている上壁部３１ｆを含む。上壁部３１ｆは、第２吹出口３１ｃに近づくほど第１吹出口３２ｃから離れるように傾斜している。
【００６４】
このようなチャンバ３１の上壁部３１ｆは、第１吹出口３２ｃから吹き出された混合ガスの流通方向を第１方向Ｘから第２方向Ｚに変更させる。これにより、第１方向Ｘに吹き出された混合ガスがチャンバ３１の上壁部３１ｆに沿って流れることによって効率良く点火プラグ１４に達することができる。
【００６５】
本発明の温水装置１００は、上記燃焼装置２００と、前方に開口部５０ａを有する筐体５０とを備える。燃焼装置２００は、点火プラグ１４が開口部５０ａに面するように筐体５０の内部に収容されている。そのため、燃焼装置２００を備える温水装置１００は、上記公報に記載の燃焼装置を備える温水装置と比べて、所定温度の湯を即座に出湯できる即湯性が向上されている。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６７】
１０  顕熱回収熱交換器、１１  ケース、１３  吸熱パイプ、１４  点火プラグ、１４Ｔ  先端部、２０  潜熱回収熱交換器、３０  バーナ、３０ａ  炎孔、３１  チャンバ、３１ａ  チャンバケース、３１ｂ  接続口、３１ｃ  第２吹出口、３１ｄ  第２取付部、３１ｅ  第３取付部、３１ｆ  上壁部、３２  ファン、３２ａ  ファンケース、３２ｂ  モータ、３２ｃ  第１吹出口、３２ｄ  第１取付部、３２ｅ  挿入部、３３  ダクト、３４  ベンチュリ、３５  オリフィス、３６  ガスバルブ、４０  配管、４１  バイパス配管、４２  バイパスサーボ、５０  筐体、５０ａ  開口部、１００  燃焼装置。
【図１】
2020016421.tif 000003
【図２】
2020016421.tif 000004
【図３】
2020016421.tif 000005
【図４】
2020016421.tif 000006
【図５】
2020016421.tif 000007
【図６】
2020016421.tif 000008